(57)【特許請求の範囲】
【請求項１】
携帯品あるいは該携帯品のケースやカバーに設けられたストラップホールに通して取り付けることが可能である、一方の側に何も設けていない紐と、
この紐の一方の側に設けられた、前記ストラップホールを通らない形態の第１の物品とからなるとともに、
前記紐の他方の側に、前記ストラップホールを通らない形態の第２の物品を使用者が後付して、携帯ストラップを完成させることを可能としたことを特徴とする一方側にのみ物品が付いた携帯ストラップ形成用紐。
【請求項２】
紐が非ループの一本紐であることを特徴とする請求項１記載の一方側にのみ物品が付いた携帯ストラップ形成用紐。
【請求項３】
請求項１、２のいずれかに記載の紐の一方側にのみ物品が付いた携帯ストラップ形成用紐と、物品本体、この物品本体に設けられた前記紐の結び目が収納される結び目収納孔、この結び目収納孔に連絡された前記紐は通るが前記結び目は通らない紐通し孔とからなる第２の物品とからなるとともに、
前記紐の他方側を前記紐通し孔から入れ前記結び目収納孔から外に出して結び目形成部とし、この結び目形成部に前記結び目を形成し、前記紐の他方側を引いて形成した前記結び目を前記結び目収納孔に引き入れ収納することで、携帯ストラップを形成することを可能としたことを特徴とする携帯ストラップ作成キット。
【発明の詳細な説明】
【技術分野】
【０００１】
本発明は、携帯ストラップの紐に下げ設けられる機能性物品を含む飾り物品あるいは携帯品側に位置するストッパー物品を使用者が後付して、携帯ストラップを完成させることを可能とした一方側にのみ物品が付いた携帯ストラップ形成用紐および携帯ストラップ作成キットに関する。
【背景技術】
【０００２】
従来の携帯ストラップとして、特許文献１（符号は特許文献１の符号。符号後の（）内は本願発明の実施例の対応する用語。）に、付属品１００（飾り物品）と、この付属品１００（飾り物品）に取り付けられた、コード通孔付き品Ｋ（携帯品）の取り付けコード通し取付け孔７（ストラップホール）が折れ曲がっていてその内壁に当り擦れても、崩れることなく通される適宜なしなやかさと硬さを有する固定された長さである非ループの１本の取り付けコード１０１（紐）と、
この取り付けコード１０１（紐）の端側に設けられた取り付けコード通し取り付け孔７（ストラップホール）を通らない大きさのストッパー８０（ストッパー物品）とからなり、
取り付けコード１０１（紐）を適宜な部位で折合わせ一対にして取り付けコード通し取り付け孔７（ストラップホール）に通し、通り抜けた部分を広げてストッパー潜らせループ８２（潜らせループ）を形成し、このストッパー潜らせループ８２（潜らせループ）にストッパー８０（ストッパー物品）を潜らせ、該取り付けコード１０１（紐）を引いて該ストッパー潜らせループ８２（潜らせループ）を締めて、締めた該ストッパー潜らせループ８２（潜らせループ）から該ストッパー８０（ストッパー物品）が抜けないようにして、よって、コード通孔付き品Ｋ（携帯品）に該取り付けコード１０１（紐）を直接的に取り付けるようにしてなる取り付けコード付き付属品８１が知られている。
【先行技術文献】
【特許文献】
【０００３】
【特許文献１】特開2010-207368号公報（図１０、図１１、図１２および段落番号[００２５]＜第７の実施の形態＞）
【非特許文献】
【０００４】
【非特許文献１】特になし
【発明の概要】
【発明が解決しようとする課題】
【０００５】
上述した従来技術は、次に述べるような欠点があった。
（１）既に、取り付けコード１０１（紐）の一方側に付属品１００（飾り物品）が取り付けられ、該取り付けコード１０１（紐）の他方の側にストッパー８０（ストッパー物品）が取り付けられて提供されるものであるため、取り付けコード１０１（紐）の長さが固定された長さを変えることのできない形態のものである。よって、購入後に使用者が好みの紐長さの携帯ストラップが作れない（形成できない）という欠点を有するものであった。
（２）前記（１）によって、ストッパー８０（ストッパー物品）を好みの形態や機能の付属品１００（飾り物品）と自由に組み合わせて、好みのもの同士を組み合わせた携帯ストラップを作れないという欠点を有するものであった。
（３）前記（１）によって、取り付けコード１０１（紐）を折畳んだ２本状態で取り付けコード通し取り付け孔７（ストラップホール）に通す形態であるため、取り付けコード通し取り付け孔７（ストラップホール）が、２本状態では通り難いないし通らない形態であるが一本なら通る形態の取り付けコード通し取り付け孔７（ストラップホール）には使用でき難いないし使用できないという欠点を有するものであった。
【０００６】
本発明は以上のような従来技術の欠点に鑑み、次に述べることを発明の目的としている。
（１）第１の目的は、使用者が購入後に紐の長さを好みの長さとした携帯ストラップを形成できる一方側にのみ物品が付いた携帯ストラップ形成用紐および携帯ストラップ作成キットを提供することにある。
（２）第２の目的は、使用者が購入後に、携帯品側に位置するストッパー物品と好みの形態や機能の飾り物品とを自由に組み合わせて、好みのもの同士を組み合わせた携帯ストラップを形成できる一方側にのみ物品が付いた携帯ストラップ形成用紐および携帯ストラップ作成キットを提供することにある。
（３）第３の目的は、２本紐状態では通り難いないし通らない形態であるが一本なら通る形態の取り付けストラップホールでも紐を通し、携帯品に取付けた携帯ストラップを形成できる一方側にのみ物品が付いた携帯ストラップ形成用紐および携帯ストラップ作成キットを提供することにある。
【課題を解決するための手段】
【０００７】
上記目的を達成するために、本発明は以下に述べるような構成としている。
＜請求項１記載の発明＞
携帯品あるいは該携帯品のケースやカバーに設けられたストラップホールに通して取り付けることが可能である、一方の側に何も設けていない紐と、
この紐の一方の側に設けられた、前記ストラップホールを通らない形態の第１の物品とからなるとともに、
前記紐の他方の側に、前記ストラップホールを通らない形態の第２の物品を使用者が後付して、携帯ストラップを完成させることを可能としたことを特徴とする一方側にのみ物品が付いた携帯ストラップ形成用紐である。
（定義）
「携帯品」とは、携帯電話、多機能携帯電話、デジタル携帯カメラなどの携帯電子装置、この携帯電子装置のケースやカバー、財布、バックなどである。
「ストラップホール」とは、携帯ストラップの紐を通し取り付けることができる紐通し取付け孔のことである。
（携帯ストラップの形成方法および携帯品への取り付け方法）
代表的と思われる携帯ストラップの形成方法およびストラップホールを有する携帯品への携帯ストラップの取付け方法として以下に述べる三つの方法を上げることができる。
（第１の形成方法および取付け方法）
紐の他方側に第２の物品を取り付けて携帯ストラップを完成させる。次に、紐を折畳んだ２本形態としてストラップホールに通し出し、出た部位を広げて潜らせループを形成し、この潜らせループに、第１の物品および第２の物品あるいはいずれか一方の物品を潜らせ、潜らせループを締め縮小させて潜らせた物品が抜けないようにして外れない取り付け状態とする。
（第２の形成方法および取付け方法）
紐を折畳んだ２本形態としてストラップホールに通し出し、出た部位を広げて潜らせループを形成し、この潜らせループに、第１の物品を潜らせ、潜らせループを締めて第１の物品が抜けないようにして外れない取り付け状態とする。次に、紐の他方側に第２の物品を取り付けて携帯ストラップを完成させる。
（第３の形成方法および取り付け方法）
紐の他方側をストラップホールに通し出し、出た他方側に第２の物品を取り付けて携帯ストラップの完成と該携帯ストラップの外れない取付け状態を実現する。
＜請求項２記載の発明＞
紐が非ループの一本紐であることを特徴とする請求項１記載の一方側にのみ物品が付いた携帯ストラップ形成用紐である。
携帯ストラップの形成方法および取り付け方法は請求項１と同様である。
＜請求項３記載の発明＞
請求項１、２のいずれかに記載の紐の一方側にのみ物品が付いた携帯ストラップ形成用紐と、物品本体、この物品本体に設けられた前記紐の結び目が収納される結び目収納孔、この結び目収納孔に連絡された前記紐は通るが前記結び目は通らない紐通し孔とからなる第２の物品とからなるとともに、
前記紐の他方側を前記紐通し孔から入れ前記結び目収納孔から外に出して結び目形成部とし、この結び目形成部に前記結び目を形成し、前記紐の他方側を引いて形成した前記結び目を前記結び目収納孔に引き入れ収納することで、携帯ストラップを形成することを可能としたことを特徴とする携帯ストラップ作成キットである。
【発明の効果】
【０００８】
以上の説明から明らかなように、本発明にあっては次に列挙する効果が得られる。
＜請求項１記載の発明の効果＞
携帯品あるいは該携帯品のケースやカバーに設けられたストラップホールに通して取り付けることが可能である、一方の側に何も設けていない紐と、
この紐の一方の側に設けられた、前記ストラップホールを通らない形態の第１の物品とからなるとともに、
前記紐の他方の側に、前記ストラップホールを通らない形態の第２の物品を使用者が後付して、携帯ストラップを完成させることを可能としたことを特徴とする一方側にのみ物品が付いた携帯ストラップ形成用紐であるので、次に述べるような効果を奏する。
（１）使用者が購入後に紐の他方側に自分で第２の物品を取り付けるものであるので、使用者が紐の長さを好みの長さにして第２の物品を取り付けることができ、よって、紐の長さを自分好みの長さとした携帯ストラップを使用者自らが形成できるという効果を奏する。
（２）使用者が購入後に、第１の物品に合う好みの形態や機能の第２の物品を自由に組み合わせて、好みの組み合わせの携帯ストラップを形成できるという効果を奏する。
＜請求項２記載の発明の効果＞
紐が非ループの一本紐であることを特徴とする請求項１記載の一方側にのみ物品が付いた携帯ストラップ形成用紐であるので、請求項１記載の発明と同様な効果を奏するとともに、２本紐状態では通り難いないし通らない形態であるが一本なら通る形態の取り付けストラップホールに、一本形態で他方側を通し出して、その他方側に第２の物品を取り付けて携帯ストラップを完成させるとともに、携帯品への取付けを完了させることができるという効果を奏する。
＜請求項３記載の発明の効果＞
請求項１、２のいずれかに１項に記載の紐の一方側にのみ物品が付いた携帯ストラップ形成用紐と、物品本体、この物品本体に設けられた前記紐の結び目が収納される結び目収納孔、この結び目収納孔に連絡された前記紐は通るが前記結び目は通らない紐通し孔とからなる第２の物品とからなるとともに、
前記紐の他方側を前記紐通し孔から入れ前記結び目収納孔から外に出して結び目形成部とし、この結び目形成部に前記結び目を形成し、前記紐の他方側を引いて形成した前記結び目を前記結び目収納孔に引き入れ収納することで、携帯ストラップを形成することを可能としたことを特徴とする携帯ストラップ作成キットであるので、前記請求項１、２のいずれかに１項に記載の発明と同様な効果を奏する。
【図面の簡単な説明】
【０００９】
【図１】本発明の実施例１の正面図および第１の物品の拡大断面図。
【図２】本発明の実施例１の携帯ストラップの作成手順および第２の物品の断面図。
【図３】本発明の実施例１の作成した携帯ストラップの携帯品への取付け手順図。
【図４】図３の続き。
【図５】本発明の実施例１の作成した携帯ストラップの携帯品への他の取付け手順図。
【図６】本発明の実施例１の作成した携帯ストラップの携帯品への他の取付け手順図。
【図７】本発明の実施例１の作成した携帯ストラップの携帯品への他の取付け手順図。
【図８】本発明の実施例１の作成した携帯ストラップの携帯品への他の取付け手順図。
【図９】本発明の実施例２の正面図。
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１〜図８に示す本発明の実施例１において、１は一方側にのみ物品が付いた携帯ストラップ形成用紐１（以下「携帯ストラップ形成用紐１」という）であり、その構成は以下のようになっている。
携帯品あるいは該携帯品のケースやカバー（以下「携帯品Ａ」という）に設けられたストラップホール２に通して取り付けることが可能である、一方の側に何も設けていない非ループの一本形態の紐３と、
この紐３の一方の側に設けられた、前記ストラップホール２を通らない形態の第１の物品４とからなるとともに、
前記紐３の他方の側に、前記ストラップホール２を通らない形態の第２の物品５を、購入後に使用者が後付して、携帯ストラップ６を形成（作成）することを可能としている。
【００１２】
第１の物品４は、携帯ストラップを携帯品Ａに取り付けた際に該携帯品Ａに寄り添う形態で紐３がストラップホール２から抜けないようにするストパーの機能を果たすストッパー物品であり、その構成は、物品本体７と、この物品本体７の側面の一方側から側面の他方側に貫通孔形態（止まり孔形態でもよい）で設けられた、非ループの一本紐形態の紐３の結び目８を収納する結び目収納孔９と、物品本体７の底部ないし背部から結び目収納孔９に連絡された、非ループの一本紐形態の紐３は通すがその結び目８は通さない紐通し結び目止め孔１０とからなっている。
【００１３】
第２の物品５は、携帯品Ａから紐３によって吊り下げ状態とされる、飾り物品、機能性物品（リール、指や手首が入るリング部材など）などの飾り物品であり、その構成は以下にのべるようになっている。
頭部、胴部、腕部および脚部からなる座り姿勢が正常姿勢である物品本体１２と、
物品本体１２の頭部の上部から下方に向けて背側に傾斜形態で設けられた、非ループの一本紐形態の紐３は通すが該紐３の結び目１３は通さない紐通し結び目止め孔１４と、
この紐通し結び目止め孔１４の下部側に該紐通し結び目止め孔１４から下方直線傾斜形態で頭部背面の下部側に貫通形態で該紐通し結び目止め孔１４に連絡された、結び目１３を孔内に収納する結び目収納孔１５とからなっている。
紐３の何も設けていない他方の側を頭部上部側から紐通し結び目止め孔１４に挿入して結び目収納孔内１５に出し、さらに結び目収納孔１５の外に出し、外に出た他方の側に結び目１３を形成し、形成した結び目１３から出ている余分な部位を爪切り、ニッパ、鋏などで切り除き、紐３を引いて結び目１３を結び目収納孔１５内に引き込み収納し、収納された結び目１３が紐通し結び目止め孔１４で止められて抜けないようにされることによって紐３に正常姿勢で吊り状態に取り付けられてなる携帯ストラップ１６を簡単に形成することを可能としているものである。
【００１４】
携帯ストラップ１６の形成方法および携帯品への取り付け方法には以下に述べるような方法がある。
図３、図４に示す方法。
正面がタッチパネル式のディスプレイ１８が設けられたストラップホールの無い多機能携帯端末（スマートホンが代表的なもの）である携帯品Ｂと、これを収納するケースからなる携帯品Ｃに取り付ける方法である。
携帯ストラップ１６を完成させる。
携帯品Ｃのカメラレンズが露出されるカメラ撮影用窓１９の外側から第１の物品４を入れ、携帯品Ｃの背面板に開口された開口窓２０の外に出した状態にして（図３参照）、携帯品Ｂを携帯品Ｃの正面側から開口窓２０から押し込み収納する。このとき、紐３は携帯品Ｂと携帯品Ｃの内壁に挟持状態にされ、その第１の物品４側はケースの開口窓２０と携帯品Ｂの間から外に出て、第１の物品４は携帯品Ｃと携帯品Ｂの正面側外に出ている状態となる（図４の上図）。
紐３の他方側を引いて第１の物品４を携帯品Ｂと携帯品Ｃに当接させて（図４の下図）取付けを完了させる。
【００１５】
図５に示す方法。
紐３の他方側に第２の物品５を取り付けて携帯ストラップ１６を完成させる。次に、紐３を折畳んだ２本形態として携帯品Ｃのストラップホール２２（携帯品Ｂにある場合はそのストラップホールに）に通し出し、出た部位を広げて潜らせループ２３を形成し、この潜らせループ２３に、第１の物品４を潜らせ、潜らせループ２３を締め縮小させて潜らせた第１の物品４が抜けないようにして外れない取り付け状態とする。
【００１６】
図６に示す方法。
ストラップホール２５を有する携帯品Ａの該ストラップホール２５に、紐３の他方側を通し出し、出た他方側に第２の物品５を取り付けて携帯ストラップ１６の完成と該携帯ストラップ１６の外れない取付け状態を実現する。
【００１７】
あるは、紐３を折畳んだ２本形態としてストラップホール２５に通し出し、出た部位を広げて潜らせループ２３を形成し、この潜らせループ２３に、第１の物品４を潜らせ、潜らせループ２５を締め縮小させて第１の物品２３が抜けないようにして外れない取り付け状態とする。次に、紐３の他方側に第２の物品５を取り付けて携帯ストラップ１６を完成させる。
【００１８】
図７に示す方法。
ストラップホール２５を有する携帯品Ａの該ストラップホール２５に、紐３の他方側を通し出し、出た他方側に第２の物品５と同じ構成であるが小さい形態の第３の物品２７を、結び目２８を形成して取付け、さらに、その下方に結び目１３を形成して第２の物品５を取り付けて携帯ストラップ２９の完成と該携帯ストラップ２９の外れない取付け状態を実現する。
【００１９】
図８に示す方法。
紐３を長めにした形態で携帯ストラップ３１を完成（作成する）させる。
紐３を折り畳み二本形態でストラップホール２５に通し出し、出た部位を広げて潜らせループ２３を形成し（図８の（ａ図））、第１の物品４および第２の物品５を同時にあるいは一つずつ潜らせループ２３に潜らせ（図８の（ｂ図））、潜らせループを締めて取り付け状態とする（図８の（ｃ図））。
【実施例２】
【００２０】
図９に示す本発明の実施例２において、３１は携帯ストラップ作成キットであって、この携帯ストラップ作成キット３１は、一方側にのみ物品が付いた携帯ストラップ形成用紐１と、第２の物品５とからなっていて、それが透明な袋状の包装容器３２に包装されて提供されるようにしたものである。
携帯ストラップ形成方法および携帯品への取付け方法は前記実施例１と同様である。
【産業上の利用可能性】
【００２１】
本発明は、携帯ストラップを製造・販売する産業で利用される。
【符号の説明】
【００２２】
Ａ：携帯品、
Ｂ：携帯品、
Ｃ：携帯品、
１：一方側にのみ物品が付いた携帯ストラップ形成用紐（「携帯ストラップ形成用紐」ともいう）、
２：ストラップホール、
３：紐、
４：第１の物品、
５：第２の物品、
６：携帯ストラップ、
７：物品本体、
８：結び目、
９：結び目収納孔、
１０：紐通し結び目止め孔、
１２：物品本体、
１３：結び目、
１４：紐通し結び目止め孔、
１５：結び目収納孔、
１６：携帯ストラップ、
１８：ディスプレイ、
１９：カメラ撮影用窓、
２０：開口窓、
２２：ストラップホール、
２３：潜らせループ、
２５：ストラップホール、
２７：第３の物品、
２８：結び目、
２９：携帯ストラップ、
３１：携帯ストラップ作成キット、
３２：包装容器。
【要約】      （修正有）【課題】使用者が購入後に紐の長さを好みの長さとした携帯ストラップを形成できる一方側にのみ物品が付いた携帯ストラップ形成用紐および携帯ストラップ作成キットを提供する。【解決手段】携帯品あるいは該携帯品のケースやカバーに設けられたストラップホールに通して取り付けることが可能である、一方の側に何も設けていない非ループの一本形態の紐３と、この紐３の一方の側に設けられた、前記ストラップホールを通らない形態の第１の物品４とからなるとともに、前記紐３の他方の側に、前記ストラップホールを通らない形態の第２の物品を、購入後に使用者が後付して、携帯ストラップを形成することを可能としている。【選択図】図１【図１】
0005411343.tif 000002
【図２】
0005411343.tif 000003
【図３】
0005411343.tif 000004
【図４】
0005411343.tif 000005
【図５】
0005411343.tif 000006
【図６】
0005411343.tif 000007
【図７】
0005411343.tif 000008
【図８】
0005411343.tif 000009
【図９】
0005411343.tif 000010